(57)【要約】      （修正有）【課題】緻密かつ滑らかなブラスト処理を行うことが可能であり、木材においては表面の塗装又は汚れを極めて緻密な精度を持って除去し、木肌表面を荒らすことなく過去の緻密な表面処理痕を残しながら被処理物の綺麗な木肌を露出することができ、金属部分に対しては層別のブラスト処理が可能な部材表面処理用植物系ブラストメディア、ブラスト処理方法及びブラスト処理装置の提供。【解決手段】角に丸みを帯びた粒子状植物系ブラストメディアＡ，Ｂ，Ｃを含む粒子含有植物系ブラストメディアを使用してなる植物系ブラストメディア及び当該植物系ブラストメディを用いてブラスト処理を行う方法。【選択図】図５
2018075706.tif 000002
【特許請求の範囲】
【請求項１】
粒子の角が丸みを帯びている粒子状植物系ブラストメディア。
【請求項２】
粒子状植物系ブラストメディアが、気乾比重が０．５より大きい植物材料からなる請求項１に記載の粒子状植物系ブラストメディア。
【請求項３】
気乾比重が０．５より大きい植物材料が胡桃、桃若しくはアプリコット種子殻又はトウモロコシの穂芯である請求項２に記載の粒子状植物系ブラストメディア。
【請求項４】
請求項１、請求項２又は請求項３のいずれか１項に記載の粒子状植物系ブラストメディアを含むことを特徴とする粒子含有植物系ブラストメディア。
【請求項５】
粒子状植物系ブラストメディアの含有率が粒子の個数で１０％以上である請求項４に記載の粒子含有植物系ブラストメディア。
【請求項６】
請求項４又は請求項５に記載の粒子含有植物系ブラストメディアと、植物材料から得られる植物系のブラストメディアを含むことを特徴とする植物系ブラストメディア。
【請求項７】
請求項４又は５に記載の粒子含有植物系ブラストメディア７０重量％以上と気乾比重が０．５以下の植物材料から得られる植物系のブラストメディアを含むことを特徴とする植物系ブラストメディア。
【請求項８】
請求項６又は請求項７に記載の植物系ブラストメディアを用い駆動流体として気体を用いることを特徴とするブラスト処理方法。
【請求項９】
前記ブラスト処理方法におけるブラスト処理が、木材、金属、セラミックス、コンクリート、石材又はゴムから選ばれた被処理物の外表面に対するブラスト処理である請求項８に記載のブラスト処理方法。
【請求項１０】
請求項８又は請求項９に記載のブラスト処理方法に用いられるブラスト処理装置のブラストタンクが、内面に帯電防止処理がなされたタンクであるブラスト処理装置。
【発明の詳細な説明】
【技術分野】
【０００１】
本発明は、植物系ブラストメディア、当該植物系ブラストメディアを用いたブラスト処理方法及び前記ブラスト処理方法に用いられるブラスト処理装置に関する。
【背景技術】
【０００２】
従来、建築物等の構造物、産業用の装置、塗膜済材料及び外装基材等の部材（以下、「被処理物」という。）について、外表面を被覆した塗料、コーティング剤、錆び及び汚れ等を除去するためにブラスト処理という方法が用いられている。ブラスト処理は、ケイ砂や重曹、石灰岩、樹脂、塩若しくは植物由来原料等を主とした粉体又はスラリー状のブラストメディアを空気又は水等の駆動流体によって圧送、加速及び噴出することにより、被処理物の外表面の塗料、コーティング剤、錆び及び汚れ等を除去する方法として知られる（特許文献１、特許文献２、特許文献３及び特許文献４）。
【０００３】
近年、神社仏閣並びに世界遺産、重要文化財又は国宝等に指定されている建築物、歴史的建造物及び装飾品等においては、長年の紫外線及び雨風による外部刺激、苔、カビ、若しくは腐朽菌等を原因とする木肌の劣化、木肌の腐食又は木肌の汚れに対する美麗化及び旧塗膜の劣化、排気ガス又は石材から溶け出した炭酸カルシウムのスケールによる鉄、鉄合金、真鍮及び銅等の金属表面の汚れ又は錆に対する美麗化が求められている。
【０００４】
歴史的価値の高い木造建造物においては、歴史的な工法や技術の確認、検証及び承継等のため、腐食部位、虫食い痕、彫刻物又は建造物の鑿（ノミ）のエッジ痕、建造年及び彫刻師の氏名等の彫刻文字まで確実に残せる様にして綺麗な木肌を露出させることが望まれる場合がある。また、「浮作り仕上げ」と称する木目以外の木材の柔らかい部分を若干磨いて凹ませ木目部分が浮立って見える様にした木材について、木目以外の部分を削り過ぎず綺麗な木肌を露出させることが望まれる場合がある。さらに、塗装の塗り替えの際に、以前に施された塗装と同様の塗装を再現することが要求されるため、既に施されている複数層の塗膜を１層ずつ剥がして各層がどの様な色や成分の塗膜からなっているのか検証したり、紫外線による劣化によって生じる各塗膜部間の数μｍの段差を残したりしなければならない場合もある。欄間等に用いられる龍の髭などの彫刻については、ｍｍ単位の細い部位が多く、ブラスト処理中に折れてしまう可能性があることから安全な木肌の露出方法が求められている。
【０００５】
一方、歴史的価値の高い建造物や物品のうち、鉄又は鉄合金等で作製された部材に赤錆が生じているもの、さらに、赤錆とともに漆その他の旧塗膜を有する部材については、赤錆表面等を除去して下層に形成されている綺麗な黒錆表面を露出させることへの要求がある。同様に、銅又は真鍮で作製された部材表面に生じた緑青色の錆の表面状の汚れや塗装を取り除き、美しい緑青の表面を露出させることも望まれている。
【０００６】
しかしながら、上述の様に、これら神社仏閣並びに世界遺産、重要文化財又は国宝等に指定されている建築物、歴史的建造物及び装飾品等においては、他の被処理物の外表面の処理に比べて一層の緻密さが要求されることから、従来のブラスト処理方法では被処理物表面へのムラや傷が発生したり、木材を構成する繊維が切断されて毛羽立ってしまい凹凸や損傷が生じたりしてしまうためブラスト処理での対応が不可能である。
【０００７】
そのため、従来行われている「灰汁洗い」という苛性ソーダでアルカリ処理した被処理物をリン酸で中和する方法が選択されている。しかしながら、当該方法は細かく作業を分断して行わなければならないことから効率性に問題があり、かつ、金属を侵食してしまうという問題もあるため、神社仏閣並びに世界遺産、重要文化財又は国宝等に指定されている建築物、歴史的建造物及び装飾品等にも使用できるブラスト処理方法が求められてきた。
【０００８】
ブラスト処理方法についてみると、例えば、特許文献５において天然結晶質石灰岩等から選ばれた研掃剤を用いて古い木造建造物の表面をブラスト処理する方法が記載されている。しかしながら、当該特許文献には古い木造建造物の表面の年輪部分の盛り上がった木目などをそのまま立体的に残して表面処理が行えること、そして、古色塗膜剥離工法によって木造建築物の表面修復を行った実績があることが記載されているのみであり、その精度については記載されていない。ブラストメディアが結晶質であり鉱物の硬さの単位であるモース硬度が１〜６に設定されていること、また、発明者等の当業者としての知識を鑑みれば、当該方法では被処理物の外表面へムラや傷が発生したり、木材を構成する繊維が切断されて毛羽立って凹凸や損傷が生じたりすることが容易に想定できることから、近年求められる水準を満足に達成しているとは言えない。
【０００９】
また、特許文献６においては鉱石等の研削剤と水によるブラスト処理方法により、木材の柔らかい部分である夏目部分を濡らして柔らかくして削り、木目である冬目部を残す方法が記載されている。当該方法は、夏目部分を一旦濡らさなければならないこと、さらに、凹凸によって冬目部分を目立たせる処理を目的としていることから、外表面の処理に一層の緻密さが要求される神社仏閣並びに世界遺産、重要文化財又は国宝等に指定されている建築物、歴史的建造物及び装飾品等において使用するには問題がある。
【００１０】
一方、本発明者等は特許文献７において、比重が０．１〜０．５、メジアン径が０．１〜０．５ｍｍの細粒状の植物からなるブラストメディアであって、比重が０．５より大きい植物からなるブラストメディアと木材のおが屑の混合物であるブラストメディアを用いたエアーブラスト処理方法を提案している。
【００１１】
当該方法によれば、被処理物の表面を損傷することなく神社仏閣並びに世界遺産、重要文化財又は国宝等に指定されている建築物、歴史的建造物及び装飾品等に求められる凹凸や損傷を生じないレベルでブラスト処理することが可能である。しかしながら、当該方法は熟練の者でなければ施工が難しい。さらに、これらの被処理物についてはさらに緻密かつ滑らかな処理を行うことが求められており、木材においては表面の塗装又は汚れ等を極めて緻密な精度を持って除去しながら、木肌表面を荒らすことなく過去の緻密な表面処理痕を残して被処理物の綺麗な木肌を露出することができない。また、鉄や鉄合金等については、赤錆表面と一緒に下層の黒錆除去してしまう恐れがあり、銅や真鍮等についても緑青色の錆を残しながらブラスト処理する場合に問題がある。
【先行技術文献】
【特許文献】
【００１２】
【特許文献１】米国特許第４，７３１，１２５号明細書
【特許文献２】特開２００２−２２４９６０号公報
【特許文献３】特開２００３−３０５６５１号公報
【特許文献４】特開２０１２−１１５７１７号公報
【特許文献５】特開２００６−３２６８２１号公報
【特許文献６】特開２０１０−１５５３２６号公報
【特許文献７】ＷＯ２０１６／１７８３６１
【００１３】
このように、従来のブラストメディアを用いたブラスト処理方法では、さらに高いレベルで緻密かつ滑らかな処理を行うことが困難であり、木材においては表面の塗装や汚れを極めて緻密な精度を持って除去しながら、木肌表面を荒らすことなく過去の緻密な表面処理痕を残して被処理物の綺麗な木肌を露出することができず、金属においては錆や塗装部に関して表層部まで層別にブラスト処理を行うことができないという問題がある。
【発明の概要】
【発明が解決しようとする課題】
【００１４】
以上の状況をふまえ、本発明は、ブラスト処理を行う際に、より高いレベルで緻密かつ滑らかな処理を行うことが求められる神社仏閣並びに世界遺産、重要文化財及び国宝等に指定されている建築物、歴史的建造物及び装飾品等の被処理物へのブラスト処理に対応し、木材においては表面の塗装や汚れを極めて緻密な精度を持って除去しながら、木肌表面を荒らすことなく過去の緻密な表面処理痕を残して被処理物の綺麗な木肌を露出することができ、かつ、金属部分に対しては全ての錆を除去することなく不要な錆部分を除去しながら必要な錆を残すことができる層別のブラスト処理が可能な部材表面処理用植物系ブラストメディア及びブラスト処理方法を提供することを目的とする。
【課題を解決するための手段】
【００１５】
本発明者等は、従来技術の問題点に鋭意研究を重ねる中、種子類の殻又は穂芯を粉砕したままの細粒状の植物からなるブラストメディア（以下、「粉砕ブラストメディア」という。）の平均粒子径に工夫を凝らすことによってブラスト処理の精度を向上できるのではないかと考えた。そこで、特許文献７で示されている０．２ｍｍのメジアン径よりさらに細かい０．１５ｍｍの粉砕ブラストメディアを作製し、検討を行ったが所望の効果は得られず課題の解決に至らなかった。
【００１６】
さらに、本発明者等が研究を重ねたところ、メジアン形が０．１５ｍｍの粉砕ブラストメディアは目視や手で触った状態では滑らかな粉状にはなっているものの、電子顕微鏡で粒子を確認すると無数の角があることに気づいた。そして、粉砕ブラストメディアによって緻密かつ滑らかなブラスト処理が行えない原因が平均粒子径ではなくブラストメディアの粒子の角ばった形状に起因している可能性あるとの考えに至った。しかしながら、植物からなるブラストメディアは結晶質のブラストメディアなどと比べて柔らかい部類のブラストメディアであるため、粒子の角に丸みを帯わせる処理が困難であること、そして、粒子に丸みを帯わせたとしても被処理物へブラストした際にスポンジボールの様に跳ね返されてブラスト処理を行えないことが懸念された。また、植物系材料の粉砕ブラストメディアの粒子は粉砕によって大きさや形が不均一になっていることから均一な一定の形状にすることが困難であり（図６）、仮にブラスト処理が可能であったとしても緻密かつ滑らかなブラスト処理を行えない可能性があった。
【００１７】
しかしながら、本発明者等は、植物からなるブラストメディアの粒子の形状に着目して研究を重ねた結果、粉砕ブラストメディアをステンレス等の金属性攪拌用タンブラーに入れて回転翼のついた撹拌器で攪拌する方法を採用することによって、粒子の角が丸みを帯びた粒子状植物系ブラストメディアを一定割合含む植物からなるブラストメディア（以下、「粒子含有植物系ブラストメディア」という。）を作製できることを見出し、さらに、ミクロンメッシュ（網枠）を装着した振動ふるい機を用いて粒度を選別した当該粒子含有植物系ブラストメディアを被処理物に応じて使い分けることによって緻密かつ滑らかなブラスト処理が可能になり、上記課題が解決できることを見出して本発明を完成するに至った。
【００１８】
すなわち、本発明は、下記の植物系ブラストメディア、ブラスト処理方法及び前記ブラスト処理方法に用いられるブラスト処理装置に関するものである。
【００１９】
（１）粒子の角が丸みを帯びている粒子状植物系ブラストメディア。
【００２０】
（２）前記（１）項に記載の粒子状植物系ブラストメディアにおいては、粒子状植物系ブラストメディアが、気乾比重が０．５より大きい植物材料からなることが好ましい。
【００２１】
（３）前記（２）項に記載の粒子状植物系ブラストメディアにおいては、気乾比重が０．５より大きい植物材料が胡桃、桃若しくはアプリコット種子殻又はトウモロコシの穂芯であることが好ましい。
【００２２】
（４）本発明の粒子含有植物系ブラストメディアは、前記（１）、前記（２）又は前記（３）項のいずれか１項に記載の粒子状植物系ブラストメディアを含むことを特徴とする。
【００２３】
（５）前記（４）項に記載の粒子含有植物系ブラストメディアにおいては、粒子状植物系ブラストメディアの含有率が粒子の個数で１０％以上であることが好ましい。
【００２４】
（６）本発明の植物系ブラストメディアは、前記（４）項又は（５）項に記載の粒子含有植物系ブラストメディアと、植物材料から得られる植物系のブラストメディアを含むことを特徴とする。
【００２５】
（７）本発明の植物系ブラストメディアは、前記（４）項又は（５）項に記載の粒子含有植物系ブラストメディア７０重量％以上と気乾比重が０．５以下の植物材料から得られる植物系のブラストメディアを含むことを特徴とする。
【００２６】
（８）本発明のブラスト処理方法は、前記（６）又は前記（７）項に記載の植物系ブラストメディアを用い駆動流体として気体を用いることを特徴とする。
【００２７】
（９）前記（８）項に記載のブラスト処理方法においては、前記ブラスト処理が、木材、金属、セラミックス、コンクリート、石材又はゴムから選ばれた被処理物の外表面に対するブラスト処理であることが好ましい。
【００２８】
（１０）本発明のブラスト処理装置は、前記（８）又は前記（９）項に記載のブラスト処理方法に用いられるブラスト処理装置であって、そのブラストタンクが、内面に帯電防止処理がなされたタンクであることを特徴とする。
【発明の効果】
【００２９】
本発明の植物系ブラストメディア及びブラスト処理方法によれば、ブラスト処理を行う際に、より高いレベルで緻密かつ滑らかな処理を行うことが可能になり、木材においては表面の塗装や汚れを極めて緻密な精度を持って除去し、木肌表面を荒らすことなく過去の緻密な表面処理痕を残しながら被処理物の綺麗な木肌を露出することができ、金属に対しては全ての錆を除去することなく不要な錆部分を除去しながら必要な錆を残すことができ層別のブラスト処理が可能になる。さらに、本発明によれば、ステンレス、チタン又はアルミニウム等の金属類やセラミックス、セラミックス、コンクリート、石材、ゴムで構成される工業製品に対しても有効なブラスト処理を行うことができる。
【図面の簡単な説明】
【００３０】
【図１】本発明に用いるエアーブラスト装置の一例の構成を示す模式図。
【図２】図１の噴出しノズル（平ノズル）を図１の矢印Ａ側から見た概略模式図。
【図３】図１の噴出しノズル（平ノズル）を図１の矢印Ｂ側から見た端面の形状を示す概略端面図。
【図４】従来の鉄製のブラストメディアタンクを備えたブラスト装置を採用した際に植物系ブラストメディアがドーナツ状に固まったものを当該タンク上部から撮影した写真。
【図５】本発明で好ましく用いられる粒子含有植物系ブラストメディアの電子顕微鏡写真。
【図６】種子類の殻又は穂芯を粉砕しただけの従来型の植物系ブラストメディアの電子顕微鏡写真。
【発明を実施するための形態】
【００３１】
本発明は、角に丸みを帯びた粒子状植物系ブラストメディアを含む粒子含有植物系ブラストメディアに基づく。本明細書において、「細粒状」という用語は、植物材料を粉砕しただけの植物からなるブラストメディアの状態を言い、単に「粒子」という場合はブラストメディアを構成する材料の１粒を意味するものとする。
【００３２】
本発明の粒子状植物系ブラストメディアは、粒子の角が丸みを帯びているものをいう。本発明において「粒子の角が丸みを帯びている」ものとは、図５又は図６に示す様な、粒子が２５〜３０個程度写っている電子顕微鏡等で撮影した写真において、二次元空間の直交座標系で粒子の中心点ｃ（ｃｅｎｔｅｒ）を固定し、ｃを中心として粒子の外格に沿って円又は楕円を描いたものを数学又は物理学上の近似を行なった場合に、粒子の像が円、半円、楕円又は半楕円の近似モデルになることを意味する。近似モデルは
【００３３】
【数１】
2018075706.tif 000003
【００３４】
【数２】
2018075706.tif 000004
【００３５】
【数３】
2018075706.tif 000005
又は
【００３６】
【数４】
2018075706.tif 000006
のいずれかに該当していれば良い。例えば、図５を基に説明すると、Ａ、Ｂ及びＣが「粒子の角が丸みを帯びている」ものに該当し、Ｘ、Ｙ及びＺは「粒子の角が丸みを帯びている」ものに該当しない。
【００３７】
本発明においては、粉砕ブラストメディアについて攪拌等の粒子の角を丸くする処理を行ったものを電子顕微鏡などで撮影し、その顕微鏡写真で判定して、粒子の数で少なくとも１０％以上、好ましくは２０％以上、より好ましくは３０％以上が粒子状植物系ブラストメディアである場合に粒子含有植物系ブラストメディアであるということを意味する。粒子状植物形ブラストメディアの数が１０％未満になると本発明の方法による緻密かつ滑らかなブラスト処理が不可能になる。一方、粒子含有ブラストメディアが含有する粒子状植物系ブラストメディアの数が多いほど緻密かつ滑らかなブラスト処理が行いやすくなるため好ましい。粒子含有ブラストメディア中の粒子状ブラストメディアの数が１００％になっても良い。上記の判定は顕微鏡写真で粒子の数が最低５０個以上になるよう撮影して判定する。１つの顕微鏡写真で粒子の数が最低５０個以上になるように撮影するのが困難であり、判定が難しい場合には、複数枚の電子顕微鏡写真を集めて粒子の数基準で少なくとも１０％以上の粒子が粒子の角が丸みを帯びているか否かを判定する。当該判定は、例えば、図５に示すＡ、Ｂ又はＣ様の粒子状植物系ブラストメディアの数を数えて全体に占める割合を算出すれば良い。
【００３８】
通常、粉砕ブラストメディアは、電子顕微鏡で写真を撮影するといずれも尖ったような角を有している（図６）。このような従来型の植物からなるブラストメディアを使用すると被処理物の外表面を傷つけてしまう恐れがあるため好ましくない。
【００３９】
粒子状植物系ブラストメディアの作製は、粉砕ブラストメディアの粒子の角が丸みを帯びた状態になるよう処理することによって行う。例えば、ステンレス等の金属性攪拌用タンブラーに入れて回転翼のついた撹拌器で攪拌する方法が好適に用いられる。当該作製においては、粉砕ブラストメディアの１０％、好ましくは２０％、より好ましくは３０％が粒子状植物系ブラストメディアになる方法であれば特に限定されるものではない。上述の通り、本発明においては、「粒子状植物系ブラストメディア」は粒子の角が丸みを帯びている植物からなるブラストメディアを意味し、これを含む植物からなるブラストメディアを「粒子含有植物系ブラストメディア」と称する。
【００４０】
上記攪拌処理後、ミクロンメッシュ（網枠）を装着した振動ふるい機を用いて粒度を選別し、粒子含有植物系ブラストメディアに含まれる各粒子のメジアン径の平均値が０．０２ｍｍから０．６ｍｍのものを粒子径毎に分離して回収する。より好ましくは、０．０６ｍｍから０．４ｍｍ、さらに好ましくは０．１ｍｍから０．２ｍｍのものを分離して回収するのが良い。粒子含有植物系ブラストメディアに含まれる各粒子のメジアン径の平均値が０．０２ｍｍ以上であるとブラスト処理を行う際の圧送、加速及び噴出を容易に行うことができ、粒子含有植物系ブラストメディアに含まれる各粒子のメジアン径の平均値が０．６ｍｍ以下とすることにより、被処理物によってはブラスト処理が荒くなってしまうという問題を容易に避けることができ好ましく、被処理物毎に粒子含有植物系ブラストメディアに含まれる各粒子のメジアン径の平均値を調整することによって好適なブラスト処理が可能になる。
【００４１】
本発明において比重は、植物からなるブラストメディアが木材の場合には通常用いられている気乾比重（水分量がほぼ１５重量％時の見掛け比重、すなわち水分量がほぼ１５重量％時の木材の重さと同体積の水の重さとの比）であり、木材以外の植物からなるブラストメディアは、水分量が５重量％以上１０重量％以下で使用する際の個別の水分量で比重が０．５より大きいものに属するか、比重が０．１〜０．５に属するのか決めれば良い。
【００４２】
本発明の粒子含有植物系ブラストメディアの材料としては、気乾比重が０．５より大きい植物材料が使用される。気乾比重が０．５より大きい植物材料としては、木材では、ウリン（比重０．８４〜１．１４）、ブビンガ（比重０．８０〜０．９６）、樫（比重０．８３）、紫檀［ローズウッド］  （比重０．８２）、サイブレス（比重０．７０）、欅（比重０．６９）、山桜（比重０．６８）、ミズナラ（比重０．６８）、イタヤカエデ（比重０．６８）、真樺（比重０．６７）、ブナ（比重０．６５）、ヤチダモ（比重０．６５）、アガチス（比重０．４０〜０．６４）、桑（比重０．６２）、栗（比重０．６０）、チーク（比重０．６０）、ホワイトメランチ（比重０．５１〜０．６０）、レッドメランチ（比重０．５１〜０．６０）、黒胡桃［ブラックオールナット］  （比重０．５９）、米松［ダグラスファー］  （比重０．５５）、銀杏（比重０．５５）、クロマツ［雄松］（比重０．５４）、胡桃（比重０．５３）、カヤ（比重０．５３）、赤松［雌松］（比重０．５３）、唐松［落葉松］（比重０．５１〜０．５３）、栃（比重０．５２）、一位（比重０．５１）、シベリヤカラマツ（比重０．５１）、米桧［オーソンヒノキ］  （比重０．５１）があり、種子殻や穂芯では、胡桃の種子殻（比重０．５８；水分量９．５７重量％）、アプリコットの種子殼（比重０．７０；水分量９．４３重量％）、桃の種子殻（比重０．７４；水分量８．７３重量％）、トウモロコシの穂芯（比重０．５３；水分量５．８８重量％）などが挙げられる。
【００４３】
本発明で用いる粒子含有植物系ブラストメディアや被処理物となる木材などは、上述の比重が硬さの目安となり、比重の大きいものほど硬さが硬い傾向にある。本発明の粒子状植物系ブラストメディアとしては、種子殻又は穂芯であることが良く、好ましくは比重が０．５より大きい種子殻又は穂芯、より好ましくは胡桃の種子殻（比重０．５８；水分量９．５７重量％）、アプリコットの種子殼（比重０．７０；水分量９．４３重量％）、桃の種子殻（比重０．７４；水分量８．７３重量％）、トウモロコシの穂芯（比重０．５３；水分量５．８８重量％）が使用される。
【００４４】
本発明の「植物系ブラストメディア」は、粒子含有植物系ブラストメディアと粒子含有ブラストメディア以外の植物とからなるブラストメディアを含むブラストメディアを言い、ここで粒子含有ブラストメディア以外の植物からなるブラストメディアを、本発明では「植物系のブラストメディア」と称し、上述の「植物系ブラストメディア」とは「の」という文字の有無で異なる意味で使用している。植物系のブラストメディアとしては、例えば、好ましくは気乾比重が０．５以下の植物材料から得られるメジアン径の平均値が０．０２ｍｍから０．６ｍｍの植物系のブラストメディアなどを含むものを言う。植物系ブラストメディア中の粒子含有植物系ブラストメディアの含有量は限定されないが、緻密かつ滑らかなブラスト処理を可能にすることを考慮すれば、７０重量％以上の粒子含有植物系ブラストメディアを含んでいることが好ましい。植物系ブラストメディアの１００重量％が粒子含有植物系ブラストメディアで構成されていても問題ない。即ち、言い換えれば、植物系ブラストメディアには、粒子含有植物系ブラストメディアの含有量が１００重量％で、粒子含有植物系ブラストメディア以外の植物系のブラストメディアの含有量が０重量％の場合も含まれる意味である。
【００４５】
なお、被処理物に応じて植物系ブラストメディア中の粒子含有植物系ブラストメディアの含有量を適宜設定することによって、より緻密で滑らかなブラスト処理を行うことができる。被処理物としては特に限定されるものではないが、好ましくは、木材、金属、セラミックス、コンクリート、石材又はゴム等の部材が挙げられる。
【００４６】
粒子含有植物系ブラストメディアの含有量を調整し、被処理物に応じた植物系ブラストメディアを作製する方法としては、上述したように、例えば気乾比重が０．５以下の植物材料から得られる植物系のブラストメディアであって、メジアン径の平均値が０．０２ｍｍから０．６ｍｍであるものと混合することが好ましい。当該植物系のブラストメディアは、特許文献７などに記載されているように気乾比重が０．５以下の植物材料としては、米ヒバ（比重０．５０）、桂（比重０．４９）、シナノキ（比重０．４８）、ホオノキ（比重０．４８）、米栂（比重０．４６）、キハダ（比重０．４５）、スプルース（比重０．４１）、檜（比重０．４１）、杉（比重０．３８）、米杉（比重０．３７）、桐（比重０．３０）などがあり、檜、杉又は桐等が好適に利用される。比重が小さい植物材料のブラストメディアとの混合割合を変更することによって植物系ブラストメディアの硬さを被処理物の硬さに適切に合わせることが可能になり、より好適なブラスト処理が行えるようになる。
【００４７】
本発明のブラスト処理方法は、ブラスト処理装置のブラストメディアタンクに植物系ブラストメディアを充填してここに圧力を加え、駆動流体によって圧送及び加速させ噴出し、ノズルから被処理物の外表面に向けて植物系ブラストメディアを噴出することにより、被処理物の外表面の塗料、コーティング剤、錆び又は汚れ等を除去するものである。
【００４８】
本発明のブラスト処理方法では、ブラストメディアの駆動流体にブラストされる被処理物を容易に変質させない気体を用いて行う。かかる気体としては、通常は空気が用いられるが、ブラスト処理される被処理物と直ちに反応して変質させない他の気体である窒素ガス又はアルゴンガス等も利用することができる。この様に液体を用いたスラリーによるブラスト処理ではなく、ブラストメディアの駆動流体として気体を用いて固体を噴出する本発明のブラスト方法を乾式ブラスト処理と言う。
【００４９】
本発明のブラスト処理方法では、特許文献７で提案されているブラスト処理装置を使用する。
【００５０】
図１に示すように、ブラストメディアの駆動流体としての気体として空気を使用する場合を例にとって説明すると、エアーブラスト装置は、圧縮空気を生成するエアーコンプレッサー１と、ブラストメディアを貯留するブラストメディアタンク２と噴出口６の形状が平たい噴出口６（図３参照）を有する噴出ノズル５（ここでは平ノズルを示したが、平ノズルがブラスト効率などの点から好ましいが、平ノズルに限定されるものではない。本発明のブラスト処理が可能であれば、噴出口６の形状は、丸形、楕円形、正方形、三角形など適宜他の形状でもよい。）を備えており、エアーコンプレッサー１とブラストメディアタンク２並びにブラストメディアタンク２と噴出ノズル５は、ホースで連結されており、ホース１１ａのエアーコンプレッサー１への接続は特に限定するものではないが、いわゆるエアーホースアタッチメント７ａで接続され、ホース１１ａの他端部は、エアーホースアタッチメント７ｂを介してブラストメディアタンク２の上部に連結されている。なお、エアーホースアタッチメントはエアーホースワンタッチカップラーなどとも言われ、例えば、エアーコンプレッサー１に当該アタッチメントの雌部が取り付けられ、当該雌部に接続される側のホース１１ａの端部には、当該アタッチメントの雄部が取り付けられ、当該雌部と雄部をつなげると、圧縮空気流通性が確保され、当該アタッチメントの雌部と雄部の接続を外すことにより、圧縮空気の流通が阻止され当該アタッチメント部からの圧縮空気の噴出がストップできる構造のアタッチメントで、市販されているので市場より容易に入手できる。
【００５１】
ブラストメディアタンク２の上部には蓋３が設けられており、ブラストメディアタンク２中にブラストメディアを充填する場合に蓋３を外してブラストメディアを充填し、ブラストメディアの噴出作業をする場合には、圧縮空気が逃げないよう蓋３を閉めておく。したがって蓋３は、蓋を閉めた場合に気密になるような蓋で、タンク内部に圧縮空気が供給された場合に、圧縮空気が漏れたり、圧縮空気の圧力で浮き上がったり外れたりしない構造の蓋であれば任意である。ブラストメディアタンク２の脇には圧力ゲージ１２を有し、ブラストメディアタンク２のブラストメディア供給口４には、ホース１１ｂがエアーホースアタッチメント７ｃを介して接続され、ホース１１ｂの他端はエアーホースアタッチメント７ｄを介して噴出ノズル５に連結されている。
【００５２】
噴出ノズル５（この図は平ノズルを採用した場合を示している）は、図１の矢印Ａ側から見た図（レバー９が図２では図の左側で下側になるような向きで図１の噴出ノズル５を見た図）を図２に示した様に、噴出しノズル（平ノズル）５近傍にブラストメディアの噴出速度の調整用レバー９を設けているようなエアーブラスト装置を用いる場合などにおいては、ブラストされる被処理物に応じて、ブラストメディアタンク内の圧力が強すぎる場合や弱すぎる場合など、あるいはブラストメディア供給速度が速すぎたり遅すぎたりする場合などに、このレバーでブラストメディアの噴出速度等を調整してもよい。前記レバー９の代わりにノズル５の根元近傍に同様の機能を発揮するバルブを用いてもよい。なお、このレバー９は、レバーを引いていない場合には、ブラストメディア供給が停止できる構造にしている。尚、図２において１０は平ノズル把持部である。また、圧縮空気圧力の調整はエアーコンプレッサー１においても可能であるが、更に必要に応じて、図示していないが、エアーコンプレッサー１とホース１１ａなどの間などに圧力調整用のレギュレーターを設けておいてもよい。
【００５３】
また、図３は、図１の平ノズルを矢印Ｂ側から見たノズル開口端面の形状を示す概略端面図である。これらの図において、図面の紙面を平面と仮定した場合、図１中、平ノズルのみは、平ノズルを平面に置いた場合のレバー９の存在する側が紙面より上側に突出している状態に置かれたノズルの位置で記載されており、図３は図１の平ノズルを図１の紙面から９０度回転させた状態で描いている。
【００５４】
本発明においては、ブラストメディアタンクの内面が帯電防止処理された、例えば帯電防止剤を含有したフッ素樹脂コーティング処理がなされているブラスト処理装置を使用することによって、例えば、静電気の発生や植物系ブラストメディアの相互作用による付着等を防止でき、図４の様にブラストメディアタンク内で植物系ブラストメディアがドーナツ状に固まるのを防ぎながら安定的に植物系ブラストメディアを噴出することが可能になる。さらに、当該ブラストメディアタンクの内外を断熱性の物質でコーティングしたり、植物系ブラストメディア攪拌用のバイブレータや撹拌器を設けたりすると、より安定的に植物系ブラストメディアを噴出させることができ好ましい。
【００５５】
当該装置を用いて、被処理物をエアーブラストする場合には、ブラストメディアタンク２内に所定のブラストメディアが貯留されている状態で、エアーコンプレッサー１より圧縮空気をブラストメディアタンク２内に送り込み、噴出ノズル５のレバーを開いて（引いて）、被処理物をブラスト処理する。  
【００５６】
ブラストメディアタンク２は、金属製で、通常、鉄製やステンレス製のものが好適であるが、強度的に問題がない金属であれば他の金属でもよい。そして図示していないが、ブラストメディアタンク２内壁は帯電防止剤を含有したフッ素樹脂コーティングなどが施されている。帯電防止剤は、特に限定はなく、例えば、フッ素樹脂に混入して帯電防止剤をブラストメディアタンクの内面にほどこす場合など、樹脂コーティングによる帯電防止剤付与の場合でも帯電防止機能が発揮できるものであれば良い。  
【００５７】
なお、ブラストメディアとして、粒子含有植物系ブラストメディアと比重が０．１〜０．５の植物系のブラストメディアの混合物を用いる場合には、あらかじめ所望の割合で混合した植物系ブラストメディアを施行現場まで自動車に乗せて運ぶとその運搬道中の振動で比重の大きいものが容器下方に移動して均一なブラストメディア混合物を供給できない恐れがある。  
【００５８】
そこで、施工現場では次のようにして混合することが好ましい。  すなわち、図１に示した装置を利用してブラストメディアを混合する。  図１のホース１１ｂと噴出ノズル５をブラストメディアタンク２のブラストメディア供給口４から外す。次に、エアーコンプレッサー１に接続されているホース１１ａのブラストメディアタンク２側に接続されている端部をエアーホースアタッチメント７ｂにおいてはずし、それをエアーホースアタッチメントを介してブラストメディア供給口４に接続する。エアーコンプレッサー１とブラストメディアタンク２をホース１１ａを介して接続することにより、圧縮空気がブラストメディア供給口４からブラストメディアタンク２の上方に向けて噴射できるようにする。この状態で、所定の混合したい割合になる量ずつの粒子含有植物系ブラストメディアと比重が０．１〜０．５の植物系のブラストメディアとをブラストメディアタンク２内に入れ、図１のブラストメディアタンク２の蓋３の代わりに、空気は通過可能であるが、ブラストメディアの通過は不可であるメッシュ状の蓋（図示せず）でブラストメディアタンク２の上方に蓋をし、次いで、エアーコンプレッサー１を作動させ、ブラストメディア供給口４からブラストメディアタンク２内に圧縮空気を噴射することにより、粒子含有植物系ブラストメディアと比重が０．１〜０．５の植物系のブラストメディアを均一に混合できる。なお、この混合を行う際の供給する圧縮空気圧の調整が必要な場合には、エアーコンプレッサー１自体で調整するか、圧力調整用のレギュレーターがある場合にはそれで調整してもよい。そして、この混合したブラストメディアを用いて目的のエアーブラスト処理を行う場合には図１に示した状態に戻して処理を実行すればよい。
【００５９】
ブラスト処理する際の駆動流体（気体）の圧力としては特に限定されるものではないが、ブラストメディアタンク内のゲージ圧を０．０９８ＭＰａから０．９８ＭＰａの範囲にすることが好ましい。例えば、図１及び図２に示した噴出しノズル５近傍に植物系ブラストメディアの噴出速度を微調整し得るレバー９を設けているブラスト処理装置を用いると、被処理物に応じてブラストメディアタンク内の圧力を調整したり、植物系ブラストメディアの供給速度を調整したりすることが可能であり、より緻密で滑らかなブラスト処理を可能にする。
【００６０】
本発明のブラスト処理方法は、本発明の粒子含有植物系ブラストメディアを用いることによって初めて課題の解決が可能になるものであり、以下、実施例で示すように、粒子含有植物系ブラストメディアに含まれる各粒子のメジアン径の平均値、粒子含有植物系ブラストメディアに含まれる粒子状植物系ブラストメディアの粒子数の平均割合、植物系ブラストメディア中の粒子含有植物系ブラストメディアの含有量及びブラスト処理する際のエアー圧を被処理物に応じて調整することによって種々の被処理物に応じた適切なブラスト処理が可能になる。
【実施例】
【００６１】
次に、実施例を示し、本発明を具体的に説明するが、本発明はこれらに限定されるものではない。
【００６２】
［実施例１］
約１５年間屋外に放置され、外表面が劣化し部分的に腐食されて虫食い痕のある杉の板について、植物系ブラストメディアに胡桃の種子殻の粒子含有植物系ブラストメディア（メジアン径０．１ｍｍ、粒子数で約２２％の粒子の角が丸みを帯びているもの）、桃の種子殻の粒子含有植物系ブラストメディア（メジアン径０．２ｍｍ、粒子数で約２２％の粒子の角が丸みを帯びているもの）、アプリコットの種子殻の粒子含有植物系ブラストメディア（メジアン径０．１ｍｍ、粒子数で約１２％の粒子の角が丸みを帯びているもの）又はトウモロコシの穂芯の粒子含有植物系ブラストメディア（メジアン径０．６ｍｍ、粒子数で約３７％の粒子の角が丸みを帯びているもの）を用い、本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、いずれも木部表面を損傷することなく、腐食している部分も破壊せず、虫食い痕の小さな孔も原型を保ちながら劣化した外表面が綺麗な表面に仕上がった。
【００６３】
［比較例１］
実施例１の被処理物について、従来使用していた粉砕したままの胡桃の種子殻の粉砕ブラストメディア（メジアン径０．１ｍｍ）、桃の種子殻の粉砕ブラストメディア（メジアン径０．２ｍｍ）、アプリコットの種子殻の粉砕ブラストメディア（メジアン径０．１ｍｍ）又はトウモロコシの穂芯の粉砕ブラストメディア（メジアン径０．６ｍｍ）を用い、実施例１と同様の方法によってブラスト処理した。その結果、劣化した外表面は綺麗な表面に仕上がったが、虫食い痕の小さな孔は原型を保つことができなかった。
【００６４】
［実施例２］
約１５年間屋外に放置され、外表面が劣化し部分的に腐食されて虫食い痕のある杉の板について、植物系ブラストメディアに７０重量％の胡桃の種子殻の粒子含有植物系ブラストメディア（メジアン径０．０２ｍｍ、粒子数で約１５％の粒子の角が丸みを帯びているもの）と３０重量％の杉から得られるブラストメディア（メジアン径０．２ｍｍ）を混合して得られるブラストメディアを用い、本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、いずれも木部表面を損傷することなく、腐食している部分も破壊せず、虫食い痕の小さな孔も原型を保ちながら劣化した外表面が綺麗な表面に仕上がった。
【００６５】
［比較例２］
実施例２の被処理物について、植物系ブラストメディアに７０重量％の粉砕したままの胡桃の種子殻の粉砕ブラストメディア（メジアン径０．０２ｍｍ）と３０重量％の杉から得られるブラストメディア（メジアン径０．２ｍｍ）を混合して得られるブラストメディア又は５０重量％の粉砕したままの胡桃の種子殻の粉砕ブラストメディア（メジアン径０．０２ｍｍ）と５０重量％の杉から得られるブラストメディア（メジアン径０．６ｍｍ）を混合して得られるブラストメディア用い、実施例２と同様の方法によってブラスト処理した。その結果、両者とも劣化した外表面は綺麗な表面に仕上がったが、虫食い痕の小さな孔は原型を保つことができなかった。
【００６６】
［実施例３］
約８０年前に建立された寺院の柱であって、屋外に露出して劣化した朱塗りが施された上層が丹塗り層、下層が胡粉塗り層（下塗り層）である柱のうち、塗装が劣化しているヒノキの四角柱状の一部について、植物系ブラストメディアに胡桃の種子殻の粒子含有植物系ブラストメディア（メジアン径０．２ｍｍ、粒子数で約３８％の粒子の角が丸みを帯びているもの）、桃の種子殻の粒子含有植物系ブラストメディア（メジアン径０．２ｍｍ、粒子数で約３５％の粒子の角が丸みを帯びているもの）、アプリコットの種子殻の粒子含有植物系ブラストメディア（メジアン径０．２ｍｍ、粒子数で約２９％の粒子の角が丸みを帯びているもの）又はトウモロコシの穂芯の粒子含有植物系ブラストメディア（メジアン径０．２ｍｍ、粒子数で約３２％の粒子の角が丸みを帯びているもの）を用い、本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、まず、朱塗りの丹塗り層を除去して下層の胡粉塗り層（下塗り層）を露出させることに成功し、さらに下層の胡粉塗り層をブラスト処理したところ、綺麗なヒノキの木肌が露出した。
【００６７】
［比較例３］
実施例３の被処理物について、従来使用していた粉砕したままの胡桃の種子殻の粉砕ブラストメディア（メジアン径０．２ｍｍ）、桃の種子殻の粉砕ブラストメディア（メジアン径０．２ｍｍ）、アプリコットの種子殻の粉砕ブラストメディア（メジアン径０．２ｍｍ）又はトウモロコシの穂芯の粉砕ブラストメディア（メジアン径０．２ｍｍ）を用い、実施例３と同様の方法によってブラスト処理した。その結果、朱塗りの丹塗り層と下層の胡粉塗り層（下塗り層）を層別に段階的に露出することはできず、ヒノキの木肌が露出した。
【００６８】
［実施例４］
約８０年前に建立された寺院に置かれていた天女像の塗装された彫刻物の一部について、植物系ブラストメディアに胡桃の種子殻の粒子含有植物系ブラストメディア（メジアン径０．０２ｍｍ、粒子数で約１０％の粒子の角が丸みを帯びているもの）を用い、本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、まず、金色に塗装された冠部分の塗装を除去することができ、その下層の白色の胡粉塗り層（下塗り層）を露出させることに成功した。さらに、下層の胡粉塗り層をブラスト処理したところ、綺麗なヒノキの木肌が露出し、細かい彫刻の輪郭がぼやけることなく、彫刻物の微細な彫刻刀による切削エッジ痕まで確実に残せることを確認した。
【００６９】
［比較例４］
実施例４の被処理物について、従来使用していた粉砕したままの胡桃の種子殻の粉砕ブラストメディア（メジアン径０．０２ｍｍ）を用い、実施例４と同様の方法によってブラスト処理した。その結果、朱塗りの丹塗り層と下層の胡粉塗り層（下塗り層）を層別に段階的に露出することはできず、また、微細な彫刻刀による切削エッジ痕を綺麗に残すことができなかった。
【００７０】
［実施例５］
植物系ブラストメディアに桃の種子殻の粒子含有植物系ブラストメディア（メジアン径０．０６ｍｍ、粒子数で約２２％の粒子の角が丸みを帯びているもの）を用いた場合、植物系ブラストメディアにアプリコットの種子殻の粒子含有植物系ブラストメディア（メジアン径０．０６ｍｍ、粒子数で約２５％の粒子の角が丸みを帯びているもの）を用いた場合又は植物系ブラストメディアにトウモロコシの穂芯の粒子含有植物系ブラストメディア（メジアン径０．０６ｍｍ、粒子数で約１５％の粒子の角が丸みを帯びているもの）を用いた場合において、実施例４と同じ彫刻物の上層の塗装が青色、赤色及び肌色である一部を実施例４と同様の条件でブラスト処理した結果、いずれもその下層の白色の胡粉塗り層（下塗り層）を露出させることに成功した。さらに、下層の胡粉塗り層をブラスト処理したところ、綺麗なヒノキの木肌が露出し、細かい彫刻の輪郭がぼやけることなく、彫刻物の微細な彫刻刀による切削エッジ痕まで確実に残せることを確認した。
【００７１】
［比較例５］
実施例５の被処理物について、従来使用していた粉砕したままの桃の種子殻の粉砕ブラストメディア（メジアン径０．０６ｍｍ）、アプリコットの種子殻の粉砕ブラストメディア（メジアン径０．０６ｍｍ）又はトウモロコシの穂芯の粉砕ブラストメディア（メジアン径０．０６ｍｍ）を用い、実施例５と同様の方法によってブラスト処理した。その結果、朱塗りの丹塗り層と下層の胡粉塗り層（下塗り層）を層別に段階的に露出することはできず、また、微細な彫刻刀による切削エッジ痕を綺麗に残すことができなかった。
【００７２】
［実施例６］
建築後約４０年経った木造家屋の「浮作り仕上げ」と称する木目以外の木材の柔らかい部分を若干磨いて凹ませ、木目部分が浮き立って見えるようにした杉の劣化した床板の一部について、胡桃の種子殻の粒子含有植物系ブラストメディア（メジアン径０．２ｍｍ、粒子数で約３３％の粒子の角が丸みを帯びているもの）、桃の種子殻の粒子含有植物系ブラストメディア（メジアン径０．４ｍｍ、粒子数で約３４％の粒子の角が丸みを帯びているもの）、アプリコットの種子殻の粒子含有植物系ブラストメディア（メジアン径０．１６ｍｍ、粒子数で約２８％の粒子の角が丸みを帯びているもの）又はトウモロコシの穂芯の粒子含有植物系ブラストメディア（メジアン径０．６ｍｍ、粒子数で約３６％の粒子の角が丸みを帯びているもの）にそれぞれ杉から得られるブラストメディア（メジアン径０．２ｍｍ）（３０重量％）を混合して得られるブラストメディアを用い、本発明のブラスト処理装置によって、ブラストメディアタンクの圧力ゲージのゲージ圧が０．３９  ＭＰａから０．６８ＭＰａの範囲（レバー９で調整）の空気でブラスト処理した。その結果、いずれも木目以外の部分である木材の柔らかい部分を削り過ぎることなく、その木肌の表面を荒らさずに汚れや劣化層を取り除き、綺麗な木目と木肌を露出させた「浮作り仕上げ」を復元することに成功した。
【００７３】
［比較例６］
実施例６の被処理物について、従来使用していた粉砕したままの胡桃の種子殻の粉砕ブラストメディア（メジアン径０．２ｍｍ）桃の種子殻の粉砕ブラストメディア（メジアン径０．４ｍｍ）、アプリコットの種子殻の粉砕ブラストメディア（メジアン径０．１６ｍｍ）又はトウモロコシの穂芯の粉砕ブラストメディア（メジアン径０．６ｍｍ）にそれぞれ杉から得られるブラストメディア（メジアン径０．２ｍｍ）（３０重量％）を混合して得られるブラストメディアを用い、実施例６と同様の方法によってブラスト処理した。その結果、その木肌の表面の汚れや劣化層を取り除くことはできたが、いずれも綺麗な木目と木肌を露出させた「浮作り仕上げ」を復元することはできなかった。
【００７４】
［実施例７］
金箔が表面に貼られた高さが約１８ｃｍの小さな古い仏像であって、古くなり金箔が剥げ落ちている部分が広範囲に亘る仏像について、植物系ブラストメディアに胡桃の種子殻の粒子含有植物系ブラストメディア（メジアン径０．４ｍｍ、粒子数で約３２％の粒子の角が丸みを帯びているもの）、桃の種子殻の粒子含有植物系ブラストメディア（メジアン径０．４ｍｍ、粒子数で約３２％の粒子の角が丸みを帯びているもの）、アプリコットの種子殻の粒子含有植物系ブラストメディア（メジアン径０．４ｍｍ、粒子数で約３２％の粒子の角が丸みを帯びているもの）又はトウモロコシの穂芯の粒子含有植物系ブラストメディア（メジアン径０．４ｍｍ、粒子数で約３２％の粒子の角が丸みを帯びているもの）を用い、本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、いずれも残存する汚れた金箔を除去しながら、細かい彫刻の輪郭をぼやかすことなく、綺麗な白壇の木肌が露出した。
【００７５】
［比較例７］
実施例７の被処理物について、従来使用していた粉砕したままの胡桃の種子殻の粉砕ブラストメディア（メジアン径０．０６ｍｍ）桃の種子殻の粉砕ブラストメディア（メジアン径０．４ｍｍ）、アプリコットの種子殻の粉砕ブラストメディア（メジアン径０．４ｍｍ）又はトウモロコシの穂芯の粉砕ブラストメディア（メジアン径０．４ｍｍ）を用い、実施例７と同様の方法によってブラスト処理した。その結果、その木肌の表面に残存する汚れた金箔を取り除くことはできたが、細かい彫刻の輪郭をぼやかさないまま白壇の木肌を露出することはできなかった。
【００７６】
［実施例８］
約３０年間屋外で使用され、表面に赤錆が発生した鉄の鋳物からなる散水栓の上蓋の破片について、胡桃の種子殻の粒子含有植物系ブラストメディア（メジアン径０．３４ｍｍ、粒子数で約１９％の粒子の角が丸みを帯びているもの）、桃の種子殻の粒子含有植物系ブラストメディア（メジアン径０．３４ｍｍ、粒子数で約３３％の粒子の角が丸みを帯びているもの）、アプリコットの種子殻の粒子含有植物系ブラストメディア（メジアン径０．２ｍｍ、粒子数で約２６％の粒子の角が丸みを帯びているもの）又はトウモロコシの穂芯の粒子含有植物系ブラストメディア（メジアン径０．５ｍｍ、粒子数で約１２％の粒子の角が丸みを帯びているもの）を用い、本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、いずれも赤錆が除去され、綺麗な黒錆面が表面に現れた。
【００７７】
［比較例８］
実施例８の被処理物について、従来使用していた粉砕したままの胡桃の種子殻の粉砕ブラストメディア（メジアン径０．３４ｍｍ）、桃の種子殻の粉砕ブラストメディア（メジアン径０．３４ｍｍ）、アプリコットの種子殻の粉砕ブラストメディア（メジアン径０．２ｍｍ）又はトウモロコシの穂芯の粉砕ブラストメディア（メジアン径０．５ｍｍ）を用い、実施例８と同様の方法によってブラスト処理した。その結果、いずれも赤錆だけでなく黒錆も除去してしまい鉄表面が現れた。
【００７８】
［実施例９］
約４０年前に改装された神社の屋根に施されている銅瓦であって、外表面に緑青色の錆が発生し、かつ緑青色の錆上に汚れや雨が流れた跡等が付着して部分的に色が変わっている銅瓦について、胡桃の種子殻の粒子含有植物系ブラストメディア（メジアン径０．０２  ｍｍ、粒子数で約３３％の粒子の角が丸みを帯びているもの）、桃の種子殻の粒子含有植物系ブラストメディア（メジアン径０．３４ｍｍ、粒子数で約３５％の粒子の角が丸みを帯びているもの）、アプリコットの種子殻の粒子含有植物系ブラストメディア（メジアン径０．２ｍｍ、粒子数で約２５％の粒子の角が丸みを帯びているもの）又はトウモロコシの穂芯の粒子含有植物系ブラストメディア（メジアン径０．１４ｍｍ、粒子数で約２５％の粒子の角が丸みを帯びているもの）と杉から得られるブラストメディア（メジアン径０．２ｍｍ）（３０重量％）を混合して得られるブラストメディアを用い本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、いずれも汚れや色むらのない綺麗な緑青色の錆面が表面に現れた銅板状物となった。
【００７９】
［比較例９］
実施例９の被処理物について、従来使用していた粉砕したままの胡桃の種子殻の粉砕ブラストメディア（メジアン径０．０２ｍｍ）、桃の種子殻の粉砕ブラストメディア（メジアン径０．３４ｍｍ）、アプリコットの種子殻の粉砕ブラストメディア（メジアン径０．２ｍｍ）又はトウモロコシの穂芯の粉砕ブラストメディア（メジアン径０．１４ｍｍ）にそれぞれ杉から得られるブラストメディア（メジアン径０．２ｍｍ）（３０重量％）を混合して得られるブラストメディアを用い、実施例９と同様の方法によってブラスト処理した。その結果、緑青色の錆面の一部又は全部が剥がれてしまい、銅の外表面が露出した。
【００８０】
［実施例１０］
約４０年前に取り付けられた寺院の階段の手すりの柱の上に設けられている真鍮性の擬宝珠であって、外表面に緑青色の錆が発生し、かつ緑青色の錆上に汚れや雨が流れた跡等が付着して部分的に色が変わっているものについて、植物系ブラストメディアに胡桃の種子殻の粒子含有植物系ブラストメディア（メジアン径０．６ｍｍ、粒子数で約２７％の粒子の角が丸みを帯びているもの）を用い、本発明のブラスト処理装置によって、ブラストメディアタンクの圧力ゲージのゲージ圧が０．３９  ＭＰａから０．６８ＭＰａの範囲（レバー９で調整）の空気でブラスト処理した。その結果、汚れや色むらのない綺麗な緑青色の錆面が表面に現れた擬宝珠が得られた。
【００８１】
［比較例１０］
実施例１０の被処理物について、従来使用していた粉砕したままの胡桃の種子殻の粉砕ブラストメディア（メジアン径０．６ｍｍ）を用い、本発明のブラスト処理装置によって、ブラストメディアタンクの圧力ゲージのゲージ圧が０．３９  ＭＰａから０．６８ＭＰａの範囲（レバー９で調整）の空気でブラスト処理した。その結果、緑青色の錆面は全部が剥がれてしまった。
【００８２】
［実施例１１］
外表面に錆が生じているステンレス部材、外表面に防錆塗装膜がコーティングされ当該コーティングが劣化しているスレンレス部材、樹脂塗料が塗装され当該塗装が劣化しているステンレス部材、指紋の跡の上に汚れが生じているチタン部材、外表面に白錆が生じているアルミニウム部材、外表面に防錆加工膜がコーティングされ当該コーティングが劣化しているアルミニウム部材及び樹脂塗料が塗装され当該塗装が劣化したアルミニウム部材の各々について、胡桃の種子殻の粒子含有植物系ブラストメディア（メジアン径０．３４ｍｍ、粒子数で約３２％の粒子の角が丸みを帯びているもの）、桃の種子殻の粒子含有植物系ブラストメディア（メジアン径０．３４ｍｍ、粒子数で約３２％の粒子の角が丸みを帯びているもの）、アプリコットの種子殻の粒子含有植物系ブラストメディア（メジアン径０．３４ｍｍ、粒子数で約３２％の粒子の角が丸みを帯びているもの）又はトウモロコシの穂芯の粒子含有植物系ブラストメディア（メジアン径０．３４ｍｍ、粒子数で約３２％の粒子の角が丸みを帯びているもの）を用い、本発明のブラスト処理装置によって、ブラストメディアタンクの圧力ゲージのゲージ圧が０．３９  ＭＰａから０．６８ＭＰａの範囲（レバー９で調整）の空気でブラスト処理した。その結果、各々の部材表面に荒れのない綺麗な地肌が露出した。
【００８３】
［実施例１２］
約１０年間野外に置かれ外表面に汚れや雨が流れた跡が残っている暮石について、胡桃の種子殻の粒子含有植物系ブラストメディア（メジアン径０．６ｍｍ、粒子数で約１３％の粒子の角が丸みを帯びているもの）を用い、本発明のブラスト処理装置によって、ブラストメディアタンクの圧力ゲージのゲージ圧が０．０９８ＭＰａから０．９８ＭＰａの範囲（レバー９で調整）の空気でブラスト処理した。その結果、暮石の綺麗な地肌が露出した。
【産業上の利用可能性】
【００８４】
本発明の部材表面処理用植物系ブラストメディア及びブラスト処理方法によれば、ブラスト処理を行う際に、より高いレベルで緻密かつ滑らかな処理を行うことが可能となり、木材においては表面の塗装や汚れを極めて緻密な精度を持って除去し、木肌表面を荒らすことなく過去の緻密な表面処理痕を残しながら被処理物の綺麗な木肌を露出することができ、金属に対しては全ての錆を除去することなく不要な錆部分を除去しながら必要な錆を残すことができ層別のブラスト処理が可能になる。さらに、本発明によれば、ステンレス、チタン又はアルミニウム等の金属類やセラミックス、コンクリート、石材又はゴムで構成される工業製品に対しても緻密かつ滑らかなブラスト処理を行うことができる。なお、本発明は神社仏閣、世界遺産や重要文化財、国宝等に指定されている建築物、歴史的建造物及び装飾品等において特に有効に使用されるが、これらに限定されるものではない。
【符号の説明】
【００８５】
１    エアーコンプレッサー      
２    ブラストメディアタンク      
３    蓋      
４    ブラストメディア供給口      
５    噴出ノズル      
６    噴出口      
７ａ，７ｂ，７ｃ，７ｄ    エアーホースアタッチメント      
９    噴出速度の調整用レバー
１０  平ノズル把持部
１１ａ、１１ｂ  ホース
１２  圧力ゲージ
【図１】
2018075706.tif 000007
【図２】
2018075706.tif 000008
【図３】
2018075706.tif 000009
【図４】
2018075706.tif 000010
【図５】
2018075706.tif 000011
【図６】
2018075706.tif 000012